(57)【要約】  本発明は、グローブの開口部周りに円形のトラフを形成するように、グローブの開口部に係合するためのリング形状部材に関する。また、本発明は、グローブと、グローブの開口部周りに円形のトラフを形成する円錐のカラーを備えるグローブを製造する方法に関する。このカラーは、そのようなリング形状部材を備える。リング形状部材は、円錐形状の第１環状部、円錐形状の第２環状部、及び第１環状部と第２環状部の間における環状の中央部を備える。リング形状部材は、折り曲げられた形状を得るように、中央部周りに折り曲げられ得る。第２環状部は、第１環状部に実質的に並んで位置するように折り曲げられる。【選択図】  図１１
2020513074.tif 000002
【特許請求の範囲】
【請求項１】
グローブの開口部周りに円形のトラフを形成するように、前記グローブの開口部に係合するためのリング形状部材であって、
円錐形状の第１環状部、
円錐形状の第２環状部、
及び前記第１環状部と前記第２環状部の間における環状の中央部を備えており、
前記リング形状部材の径は前記中央部において最も小さくなり、
前記リング形状部材は、折り曲げられた形状を得るように、前記中央部周りに折り曲げられることが可能であり、
前記第２環状部は、前記第１環状部に実質的に並んで位置するように折り曲げられる、ことを特徴とするリング形状部材。
【請求項２】
前記中央部は複数の穴を備える、ことを特徴とする請求項１に記載のリング形状部材。
【請求項３】
前記中央部の壁の厚みは、前記第１環状部及び／又は前記第２環状部の壁の厚みよりも小さい、ことを特徴とする請求項１又は２に記載のリング形状部材。
【請求項４】
前記リング形状部材は、前記第１環状部の端部に対応して取り付けられている複数のクリップを備える、ことを特徴とする請求項１〜３のいずれかに記載のリング形状部材。
【請求項５】
前記リング形状部材は単一の構成要素として形成されている、ことを特徴とする請求項１〜４のいずれかに記載のリング形状部材。
【請求項６】
前記リング形状部材は、ＰＰＣ，ＰＰ，ＰＶＣ，ＰＯＭ，ＰＰ−Ｈ，又はＰＥの内のプラスチック材料から形成されている、ことを特徴とする請求項１〜５のいずれかに記載のリング形状部材。
【請求項７】
第１端部において手型形状部と、
前記第１端部と反対の第２端部において、使用者の手を挿入するための開口部を有する軸部とを備えるグローブであって、
全体的に円錐形状であり、前記グローブの前記開口部周りに配置されているカラーを備えており、
前記カラーは、円形のトラフを前記グローブに形成するように、前記グローブの前記第１端部に向かう方向に増加する径を有する前記開口部から伸びており、
前記グローブの前記カラーは、請求項１〜６のいずれかに記載のリング形状部材を備えており、
前記リング形状部材は、前記グローブに配置されているとき、折り曲げられて、前記折り曲げられた形状に変化する、ことを特徴とするグローブ。
【請求項８】
前記グローブの少なくとも前記軸部は弾性材料から形成されており、
前記リング形状部材は、前記リング形状部材の少なくとも前記第２環状部を越えて伸ばされる前記弾性材料の一部により前記グローブに取り付けられている、ことを特徴とする請求項７に記載のグローブ。
【請求項９】
前記弾性材料の一部は、折り曲げられたとき、前記第１環状部と前記第２環状部の間にある、ことを特徴とする請求項８に記載のグローブ。
【請求項１０】
前記グローブは、前記リング形状部材の前記折り曲げられた形状を保つため、前記リング形状部材の少なくとも一部の周りに留められる複数のクリップを備える、ことを特徴とする請求項７〜９のいずれかに記載のグローブ。
【請求項１１】
請求項７〜１０のいずれかに記載のグローブを製造する方法であって、
弾性材料の前記グローブを供給するステップと、
請求項１〜６のいずれかに記載のリング形状部材を供給するステップと、
前記開口部近くの前記グローブの一部を前記第２環状部を越えて折り曲げるステップと、
前記円形のトラフを前記グローブに形成するように、前記リング形状部材を折り曲げて、前記折り曲げられた形状に変化させるステップとを備える、ことを特徴とする方法。
【請求項１２】
前記グローブの一部は、前記第２環状部を越えて、前記グローブの前記弾性材料を伸ばすことにより折り曲げられる、ことを特徴とする請求項１１に記載の方法。
【請求項１３】
前記方法は、前記リング形状部材の中央の前記開口部を通して、前記グローブをガイドすることを備える、ことを特徴とする請求項１１又は１２に記載の方法。
【請求項１４】
前記方法は、前記リング形状部材の前記折り曲げられた形状を保つため、前記リング形状部材の少なくとも一部の周りに１つ以上のクリップを留めることを備える、ことを特徴とする請求項１１〜１３のいずれかに記載の方法。
【請求項１５】
前記方法は、接着剤を加えることにより、前記リング形状部材の前記折り曲げられた形状を保つことを備える、ことを特徴とする請求項１１〜１４のいずれかに記載の方法。
【請求項１６】
前記方法は、
前記第２環状部周りの前記グローブの一部を折り曲げるステップの前に、
固定具を供給するステップと、
前記リング形状部材を前記固定具に配置するステップとを備える、ことを特徴とする請求項１１〜１５のいずれかに記載の方法。
【発明の詳細な説明】
【技術分野】
【０００１】
本発明は、カラーを備えるグローブ、及びそのようなグローブを製造するための方法に関する。
【背景技術】
【０００２】
複数の種類の作業状況において、グローブは、素手が、例えば化学薬品、洗剤、又はバクテリアに接触する虞のある時間を減少させる、又は除くため、必要とされる、又は所望される。一方、グローブがあまりにも長く用いられるとき、特にグローブが低品質であるとき、皮膚病、アレルギー、又は皮膚炎の虞が増加する。
【０００３】
一部のグローブは、作業するとき、使用者の腕に沿って流れ落ちる液体を防ぐための手段を備える。この特徴は、絶縁グローブが作業者を保護し、且つグローブから滴り落ちるいずれかの液体が、防がれる、又は少なくとも安全に使用者から離れてガイドされる必要があるような、例えば高電圧グローブに関する一部の作業環境において、特に重要である。
【０００４】
グローブの開口部周りに配置され、且つ一部の液体を吸収できるスポンジ状の材料から形成されている補強を備えるグローブ（例えば米国特許２６４１７６７号）を形成することが知られている。欧州登録特許２９０３４８４号において、グローブは、折り曲げられた縁又はカラーを備えて形成されている。この縁又はカラーは、グローブに沿って流れ落ちるいずれかの液体を捕らえて、使用者の腕から液体を排出させるように作用する。一方、そのようなグローブは、必要な分離部品とその製造方法に不利である。別の課題は、使用するとき、妨げになる、又は使用者を余計に苛立たせるほど硬くもなく、重くもない折り曲げられた縁について所望の効果を生じるように、剛性が十分に大きい補強されたカラーを得ることである。
【発明の概要】
【０００５】
本発明の実施形態の目的は、折り曲げられた縁又はカフを備える既知のグローブについて、液体を集めるように作用するために折り曲げられて、小さな重量の形状を保つように剛性が増加したカフをグローブに与えることにより、上述の不利な点の一部又はすべてを取り除く、又は少なくとも減らすことである。
【０００６】
また、本発明の実施形態の目的は、折り曲げられたカフを備えるグローブの効果的且つさらに単純な製造方法を低下したコストで提供することである。
【０００７】
本発明に従って、この目的は、グローブの開口部周りに円形のトラフを形成するように、グローブの開口部に係合するためのリング形状部材により得られる。このリング形状部材は、円錐形状の第１環状部、円錐形状の第２環状部、及び第１環状部と第２環状部の間における環状の中央部を備える。また、リング形状部材の径は中央部において最も小さくなる。さらに、リング形状部材は、折り曲げられた形状を得るように、中央部周りに折り曲げられ得る。第２環状部は、第１環状部に実質的に並んで位置するように折り曲げられる。
【０００８】
グローブの開口部周りに円形のトラフを形成するように、グローブの開口部周りに配置されているカラーを備えるグローブは、当業者に知られており、所望の形状の補強をグローブの開口部に与えることに有利である。カラーは、装置に用いられるとき、制御できるようにグローブを拡げる圧力差を用いることにより、グローブを着脱するため、グローブに対して座部を与えることに有利である。そのような装置に対して有効であるように、グローブは、装置に挿入されているとき、密閉された部分を形成するように、装置のリム又は端部と係合する必要がある。そのような装置は、例えば欧州登録特許２９０３４８４号において開示されている。また、カラーは、グローブが、使用者により装置に挿入されるとき、容器内に完全に付勢されることを防ぐ。さらに、使用者が、清掃の間、グローブをはめられた手を挙げているとき、円形のトラフを形成するグローブのカラーは、一般的に、ドリップ、フルードキャッチャー、又はガターとして有利に機能する。これにより、グローブに沿って流れ落ちるいずれかの液体は、カラーにより防がれる、又は異なる方向を与えられて、使用者の腕に沿って流れ落ちることを防がれる。一方、既知のグローブは、必要な分離部品とその製造方法に不利である。別の課題は、使用するとき、妨げになる、又は使用者を余計に苛立たせるほど硬くもなく、重くもない折り曲げられた縁について所望の効果を生じるように、剛性が十分に大きい補強されたカラーを得ることである。
【０００９】
本発明に記載のリング形状部材を提供することにより、グローブに対する補強が得られる。この補強は、リング形状部材の折り曲げられた形状において、大きな剛性、安定性、また一部の柔軟性、さらに小さな重量の構造を有する。本発明に記載のリング形状部材の大きな剛性は、従来の構造、例えば共に留められている分離した２つのリングと比べられるとき、双安定構造により実現すると信じられている。このとき、第２環状部は、第１環状部に向けて、折り曲げられた形状に折り曲げられる。これにより、リング形状部材は、より小さな壁の厚みと重量で製造され得る。これは、より薄いグローブ材料の複数のグローブにリング形状を使用できるようにする、且つより多くの適用のためのグローブにリング形状を使用できるようにすることに有利である。このとき、より薄いグローブが好ましい。また、リング形状部材は、特に横方向において、一部の柔軟性を備えており、一時的に卵形に変形し得る。これは、リング形状部材がグローブに配置されていて、使用者が作業しているとき、使用者に対して妨げにならないこと、及び端部などに引っかかる虞を減らすことに有利である。
【００１０】
リング形状部材の重要な利点は、リング形状部材の折り曲げ易さにより、非常に少ない、単純且つ素早い工程で、リング形状部材がグローブに取り付けられ得ることである。この工程は、任意で、完全に自動的に行われ得る、又は好ましい場合、完全に手動で行われ得る。リング形状部材は、第２環状部の端部を越えてグローブの端部を引っ張る、及び／又は伸ばすこと、且つリング形状部材を折り曲げて、折り曲げられた形状に変化させることにより、グローブに取り付けられ得る。これにより、カラーを備えるグローブの製造は、素早く、低コストで行われる。また、製造コストは、グローブを組み立てるときの構成要素の数を減らすことにより下がる。
【００１１】
また、リング形状部材が、いずれかの後工程を必要とせずに、単一の構成要素として、一体且つ単一の製造ステップで製造され得るため、リング形状部材の製造コストは同様に下がる。
【００１２】
ある実施形態において、第１環状部と第２環状部は、最大径から最小径まで、実質的に同様に伸びる。代替として、第２環状部は、第１環状部よりも伸びてもよい。これにより、第２環状部は、折り曲げられた形状で第１環状部全体を覆い得る。第１環状部及び／又は第２環状部は、５〜２５ｍｍ、例えば５〜１０ｍｍの範囲で伸び得る。第１環状部及び／又は第２環状部の円錐の高さは、５〜４０ｍｍの範囲、例えば５〜１０ｍｍの範囲でもよい。中央部の径は、グローブの異なるサイズを合わせるように調整されて、７０〜１５０ｍｍの範囲、例えば１００〜１２０ｍｍの範囲でもよい。
【００１３】
ある実施形態において、リング形状部材の中央部は複数の穴を備える。これにより、中央部の剛性は下がる。また、より小さな力が、リング形状部材を折り曲げて、折り曲げられた形状に変化させるために必要である。一方、折り曲げられた形状のリング形状部材全体の剛性は下がらない、又は最小限だけ下がる。穴は、リング形状部材の射出成形のとき、有利に形成され得る、又は後続のステップで切り取られ得る。中央部は、５０〜２００の範囲、例えば６０〜８０の範囲のリング形状部材のサイズに応じて、複数の穴を備え得る。穴は、例えば円形、卵形、又は四角形の異なる形状を得る。
【００１４】
ある実施形態において、中央部の壁の厚みは第１環状部及び／又は第２環状部の壁の厚みよりも小さい。これにより、中央部の剛性は下がる。また、より小さな力が、リング形状部材を折り曲げて、折り曲げられた形状に変化させるために必要である。一方、折り曲げられた形状のリング形状部材全体の剛性は下がらない、又は最小限だけ下がる。中央部の壁の厚みは、０．５〜４ｍｍの範囲、例えば０．０５〜１．０ｍｍの範囲、０．１０〜０．５０ｍｍの範囲、０．１２〜０．３７ｍｍの範囲でもよい。環状の中央部の壁の厚みは、中央付近で、より薄くてもよい、及び／又は第１環状部と第２環状部に向けて厚くなってもよい。環状の中央部の高さ又は長さは、３〜１５ｍｍの範囲、例えば８〜１０ｍｍの範囲で約９ｍｍ、又は例えば５〜７ｍｍの範囲で約６ｍｍでもよい。これにより、環状の中央部は、異なる材料の厚み、及び／又は異なるサイズの丸められた端部を備えるグローブに対応して、合わせるような大きさであってもよい。
【００１５】
第１環状部と第２環状部の壁の厚みは、０．７〜２．０ｍｍの範囲、例えば０．９〜１．２ｍｍの範囲でもよい。第１環状部と第２環状部は、同じ壁の厚みを有してもよく、第１環状部よりも大きな壁の厚みを有する第２環状部を好ましくは備える、異なる壁の厚みであってもよい。ある実施形態において、リング形状部材は、第１環状部の端部に対応して取り付けられている複数のクリップを備える。クリップは、対応して取り付けられることにより、第１環状部を取り除くことなく、少なくとも１回又は数回曲げられ得ることが分かる。これにより、クリップは、折り曲げられるとき、単純な方法により、また単純且つ素早い工程で、折り曲げられた形状にリング形状部材を固定するように、第２環状部周りに曲げられ、留められ得る。これにより、クリップが、折り曲げられた形状にリング形状部材を保持することを助けるため、リング形状部材の剛性と重量は下がり得る。
【００１６】
クリップが第１環状部に対応して取り付けられているため、リング形状部材は単一のユニットとして一体となって製造され得る。また、第１環状部への取り付けにより、リング形状部材におけるクリップの正しい配置が確実になる。
【００１７】
ある実施形態において、リング形状部材は、複数、例えば２、３、４、又は５個のクリップを備える。このクリップは第１環状部の周辺に有利に分布される。
【００１８】
リング形状部材は、ＰＰＣ，ＰＰ，ＰＶＣ，ＰＯＭ，ＰＰ−Ｈ，又はＰＥの内のプラスチック材料から形成され得る。これにより、リング形状部材は、小さな重量である一方、大きな剛性を有して、射出成型により効果的に製造され得る。
【００１９】
また、本発明は、第１端部において手型形状部と、第１端部と反対の第２端部において、使用者の手を挿入するための開口部を有する軸部とを備えるグローブに関する。このグローブは、全体的に円錐形状であり、グローブの開口部周りに配置されているカラーを備える。このカラーは、円形のトラフをグローブに形成するように、グローブの第１端部に向かう方向に増加する径を有する開口部から伸びる。グローブのカラーは、上述のいずれかに記載のリング形状部材を備える。このリング形状部材は、グローブに配置されているとき、折り曲げられて、折り曲げられた形状に変化する。
【００２０】
この利点は、上述のように、リング形状部材に関する。
【００２１】
ある実施形態において、グローブの少なくとも軸部は弾性材料から形成されている。リング形状部材は、リング形状部材の少なくとも第２環状部を越えて伸ばされる弾性材料の一部によりグローブに取り付けられている。これにより、リング形状部材は、少ない単純な工程である一方、効果的な方法でグローブに取り付けられていて、意図せず、グローブから脱落することがない。また、取り付けは、完全な自動、又は要求されるとき、完全な手動のいずれかで行われ得る。さらに、機械的でも化学的でもない、いずれかの取り付け手段を必要とせずに、取り付けが行われ得る。
【００２２】
ある実施形態において、弾性材料の一部は、折り曲げられたとき、第１環状部と第２環状部の間にある。このように、リング形状部材は、グローブの弾性材料の層周りに折り曲げられて、所定の位置に層をしっかりと保持している。これにより、リング形状部材は、グローブにしっかりと取り付けられている。
【００２３】
ある実施形態において、グローブは、リング形状部材の折り曲げられた形状を保つため、リング形状部材の少なくとも一部の周りに留められる複数のクリップを備える。クリップは、分離部材であってもよく、上述のように、リング形状部材の第１環状部に取り付けられ得る。これにより、クリップは、リング形状部材をグローブにさらに機械的に固定することをもたらして、リング形状部材が、折り曲げられた形状を保ち、開かないことを確実にする。これにより、リング形状部材の剛性と重量は、グローブに対する取り付けを損なうことなく、下がり得る。
【００２４】
また、本発明は、上述のいずれかに記載のグローブを製造する方法に関する。この方法は、弾性材料のグローブを供給するステップと、上述のようなリング形状部材を供給するステップと、開口部近くのグローブの一部を第２環状部を越えて折り曲げるステップと、円形のトラフをグローブに形成するように、前記リング形状部材を折り曲げて、前記折り曲げられた形状に変化させるステップとを備える。グローブの一部は、グローブの弾性部材を、第２環状部を越えて伸ばすことにより、折り曲げられ得る。
【００２５】
この利点は、上述のように、グローブとリング形状部材に関する。
【００２６】
ある実施形態において、この方法は、リング形状部材の中央の開口部を通して、グローブをガイドすることを備える。これにより、グローブは、第２環状部を越えてグローブのリムを伸ばすための位置に適宜至る。したがって、リング形状部材は、円形のトラフを形成するため、所望の向きで、グローブに取り付けられている。
【００２７】
ある実施形態において、この方法は、リング形状部材の折り曲げられた形状を保つため、リング形状部材の少なくとも一部の周りに１つ以上のクリップを留めることを備える。この利点は上述されている。
【００２８】
代替として、又は付加的に、この方法は、接着剤を加えることにより、リング形状部材の折り曲げられた形状を保つことを備えてもよい。
【００２９】
ある実施形態において、この方法は、第２環状部周りのグローブの一部を折り曲げるステップの前に、固定具を供給するステップと、リング形状部材を固定具に配置するステップとを備える。これにより、固定具は、第２環状部を越えてグローブを伸ばすとき、リング形状部材を所定の位置に保持することを助ける。このように、この方法は、より高速且つ容易に行われ得る。
【図面の簡単な説明】
【００３０】
本発明の異なる実施形態が、図面を参照して記載される。
【図１】図１は、グローブの軸部から外側に伸びる折り曲げられた縁を形成するカラーを備えるグローブの軸部を示す斜視図である。
【図２】図２は、当業者に知られている、補強カラーを備えるグローブの異なる例を示す。
【図３】図３は、当業者に知られている、補強カラーを備えるグローブの異なる例を示す。
【図４】図４は、当業者に知られている、補強カラーを備えるグローブの異なる例を示す。
【図５ａ】図５ａは、図示するように部分的に挿入されているグローブを備える、グローブを着脱するための装置を示す斜視図である。
【図５ｂ】図５ｂは、容器に部分的に挿入されているグローブを備える、図５ａの装置を示す。
【図６】図６は、容器の開口部とグローブの係合の異なる実施形態を示す拡大詳細図である。
【図７】図７は、容器の開口部とグローブの係合の異なる実施形態を示す拡大詳細図である。
【図８】図８は、本発明に記載されている、グローブにカラーを形成するためのリング形状部材の実施形態を示す。
【図９】図９は、リング形状部材を備えるグローブの実施形態を示す斜視図である。
【図１０】図１０は、リング形状部材を備えるグローブの実施形態を示す断面図である。
【図１１】図１１は、折り曲げられた形状のリング形状部材を備える、図１０のグローブを示す断面図である。
【図１２】図１２は、リング形状部材を備えていない、リング形状部材を取り付けるための固定具を示す。
【図１３】図１３は、リング形状部材を所定の位置に備えている、リング形状部材を取り付けるための固定具を示す。
【図１４】図１４は、本発明に記載されている、複数のクリップを備えるリング形状部材の別の実施形態を示す。
【図１５】図１５は、複数のクリップを用いて、折り曲げられた形状に固定されているリング形状部材を備えるグローブを示す。
【図１６】図１６は、クリップを示す。
【図１７】図１７は、リング形状部材の実施形態を示す。
【図１８】図１８は、リング形状部材の実施形態を示す。
【発明を実施するための形態】
【００３１】
図１は、本発明に記載されている形状のグローブ１００を示す。明確にするため、軸部のみ、又はグローブ１００の開口部１０１近くの上部を示す。最大５本の指を任意で備える下方手型形状部は示さない。このグローブの下方手型形状部は、いずれかの従来のグローブとして形成され得る。
【００３２】
図１において説明したように、グローブ１００は、グローブ１００の開口部１０１を補強するカラー１０２を備える。この開口部１０１を通して、手が挿入される。カラー１０２は、全体的に円錐形状であり、グローブ１００の開口部１０１周りに配置されていて、グローブ１００の第１手型形状端部に向かう方向に増加する径を有する開口部１０１から伸びる。これにより、カラー１０２は、円形のトラフ１０４をグローブ１００に形成する。トラフ１０４又は溝は、液体収集深部又は空間としての役割を果たして、使用者が作業するとき、液体が使用者の腕に沿って流れ落ちることを防ぎ得る。図２，３に示すグローブ１００の断面図において、トラフ１０４をより明確に示す。
【００３３】
そのような有利なカラー１０２を備えるグローブ１００は、従来と同じように、ディップ成形により、全体的に円錐形状のリング２０１を、軸部に、又は対応する円錐面における手のモデルの手首周りに配置することにで製造され得る。手のモデルは、浸されて、グローブの材料で１回以上覆われている。乾燥と加硫処理が行われたとき、グローブ１００は、モデルから外されて、リング２０１により補強された部分を除いて裏返される。グローブ１００の縁は、手のモデルから外されたとき、下方に曲げられたままであり、図２に示すように、カラー１０２を形成する。グローブ１００の軸部は断面図に示す。
【００３４】
図３は、当業者に知られているような、カラー１０２を備えるグローブ１００を示す。図において、カラー１０２は、内側リング３０１と外側リング３０２により形成されている。この２つのリング３０１，３０２は、ほとんど円錐形状である。グローブ１００は、内側リング３０１の端部を越えてグローブ１００の端部１０３を伸ばすこと、及び矢印により示すように、内側リング３０１に外側リング３０２を付勢することにより製造され得る。外側リング３０２は、柔軟性を増すための複数のスリット３０３、及び内側リング３０１とグローブ１００の端部１０３に付勢されるための機能を任意で備えてもよい。図４の斜視図において、内側リング３０１と外側リング３０２を示す。
【００３５】
図５は、当業者に知られている、本発明に記載されている弾性材料のグローブ１００を使用者の手から着脱することを助けるための装置５００を示す。装置５００は、開口部５０２を有する容器５０１を備える。この開口部５０２を通して、グローブ１００と使用者の手は挿入される。図５ｂにおいて、容器５０１に途中まで挿入されているグローブ１００を備える同じ装置を示す。この装置は、容器５０１内側の空気圧の制御により、すぐに動作する。図に示す装置において、空気圧の制御は、逆止弁５０６と排出口５０７を組み合わせて、ベローズ５０５により成立する。使用者の手が、容器５０１に既にかけられているグローブ１００に挿入されるとき、又はグローブ１００を着けた手が容器５０１に挿入されるとき、容器５０１のベローズ部５０５は圧縮されて、空気が逆止弁５０６を通して容器５０１から押し出される。手が再び外されるとき、ベローズ５０５が再び拡がり、負圧が容器５０１内に生じる。これにより、グローブ１００を拡げて、グローブ１００から手を外すことができる。グローブ１００が着けられるとき、容器５０１の排出口５０７は、作動して、好ましくは単純に、容器５０１内から手で開く。これにより、負圧は取り除かれて、グローブ１００は、容器から取り除かれるとき、手に着いたままである。他の装置において、圧力の変化は、例えばポンプにより生じ得る。
【００３６】
容器５０１内に所望の負圧を生じるため、グローブ１００は、好ましくは、容器５０１の開口部５０２を密閉する必要がある。この点において、本発明に記載されている、円錐のカラー１０２を備えるグローブ１００は、カラー１０２により、特に有利であり、容器５０１の開口部５０２に対してカラー１０２の座部を与えて、グローブ１００が、使用者により、意図せず、その部分に向けて押し下げられることを防ぐ。
【００３７】
図６，７において、この機能を詳細に示し得る。装置５００の容器５０１は、グローブ１００のカラー１０２を支持するように作用するために、好ましくは、開口部５０２の周辺にリム５０３を備える。したがって、グローブ１００は、容器５０１に配置されているとき、リム５０３に支えられている。また、図７において詳細に示し得るように、リム５０３は、グローブ１００の円錐のカラー１０２と係合するため、（図の上方に向けて）容器５０１から外側に突出する端部５０４を備える。図６の実施形態において、端部５０４の表面は、リム５０３及び容器５０１の縦方向とほぼ垂直に交わる。図７において、端部５０４の表面は、ほぼ、容器５０１の開口部５０２に向けて狭窄する円錐である。端部５０４の表面は、グローブ１００のカラー１０２より角度６０２傾き、グローブ１００のカラー１０２に対して約５〜１５°の角度で傾き得る。これにより、グローブ１００は、容器５０１のリム５０３でガイドされて、容器５０１へのグローブ１００の封入を改善する。これにより、装置５００は、グローブの着脱に対して、より効果的になる。また、角度の差により、グローブが容器５０１のリム５０３から容易に再び取り外され得ることを確実にする。
【００３８】
グローブ１００の円錐のカラー１０２又は折り曲げられた縁は、グローブ１００の開口部１０１を補強するように作用する。また、カラー１０２は、容器５０１の開口部５０２のリム５０３に容易に挿入されるように、グローブ１００の開口部１０１の全体形状を保つように作用する。したがって、カラー１０２は、容器５０１の開口部５０２に対する座部としての役割を果たして、負圧が効果的に生じる部分を効果的に密封する。上述のように、グローブ１００のカラー１０２は、使用者が作業するとき、液体がグローブをはめられた手から落ちて、腕に沿って流れ落ちることを防ぐことに有利である。
【００３９】
これらの有利な点を実現するため、グローブ１００のカラー１０２は所定の剛性を有する必要がある。一方、硬すぎるカラーは、使用者が作業しているとき、使用者の快適さを減少させて、妨げになる、又は角などで捕らえられ得る。また、カラー１０２は、小さな材料の厚みを有するグローブに効果的に作用するように、できる限り小さな重量を有利に備える。
【００４０】
図８に示す実施形態によれば、これらの有利な点は、リング形状部材８００を有するカラーを備えるグローブにより得られる。この実施形態において、リング形状部材８００は、円錐形状の第１環状部８０１、円錐形状の第２環状部８０２、及び第１環状部８０１と第２環状部８０２の間における環状の中央部８０３を備える。リング形状部材８００の径は中央部８０３において最も小さい。第１環状部８０１と第２環状部８０２は、それぞれ、この中央部８０３から外側に伸びる。リング形状部材８００は、矢印９００により示すように、中央部８０３周りに折り曲げられることができて、折り曲げられた形状に折れ曲がる。第２環状部８０２は、第１環状部８０１に実質的に並んで位置するように折り曲げられる。図１０において、これを示す。リング形状部材８００は、グローブ１００のリムを保持するように折り曲げられる。また、リング形状部材８００は、図８に示すような開口形状と、図１０に示すような折り曲げられた形状を備える双安定構造である。
【００４１】
図１０，１１において、より明確に示すように、リング形状部材８００の折り曲げ易さは、例えば中央部８０３のより小さな壁の厚み、及び／又は中央部８０３の複数の穴８０４により得られる、減少した中央部８０３の剛性に加えて、中央部８０３の例えば、曲線又は半円形の断面形状により容易になり得る。第１環状部８０１と第２環状部８０２は、両方とも、実質的に円錐であるため、折り曲げられた形状のリング形状部材８００の全体形状は、同様に、実質的に円錐である。
【００４２】
実施形態において、リング形状部材８００は、単一の構成要素として一体に成型される。リング形状部材８００は、ＰＰＣ，ＰＰ，ＰＶＣ，ＰＯＭ，ＰＰ−Ｈ，又はＰＥのようなプラスチック材料から射出成型により成型され得る。
【００４３】
図９は、グローブ１００の開口部１０１に取り付けられているようなリング形状部材８００を示す。図１０において、このグローブ１００の開口部１０１を拡大詳細断面図で示す。従来の弾性材料のグローブ１００のリム９０１は第２環状部８０２を越えて伸ばされる。実施形態において、リム９０１は、丸められた端部９０２を備える。環状の中央部８０３は、リム９０１の丸められた端部９０２を受容するように、リム９０１の丸められた端部９０２に対応する曲線形状を備える。図１１に示すように、リング形状部材８００の第２環状部８０２は、第１環状部８０１に隣接するため、矢印９００により示すように折り曲げられる。この実施形態における折り曲げられた形状において、グローブ１００の弾性材料の部分は第１環状部８０１と第２環状部８０２との間にある。
【００４４】
リング形状部材８００は、リング形状部材８００の少なくとも一部を越えて弾性材料を伸ばすことにより、グローブ１００の開口部１０１周りに円形のトラフ１０４を形成するように、グローブ１００の開口部１０１に取り付けられる。
【００４５】
図１７，１８において、リング形状部材８００の２つの実施形態を詳細に示す。図１７において、側面図、平面図、及び断面図で、リング形状部材８００をそれぞれ示す。図１８において、リング形状部材８００の別の実施形態を断面図で示す。２つの実施形態の間の大きな違いは、環状の中央部８０３の異なるサイズと曲率である。図１８の実施形態において、環状の中央部８０３は、より大きな高さ１６０１とより大きな径を得る。図１７，１８のリング形状部材８００は、それぞれ、特に環状の中央部８０３の大きさにより、相対的に薄いグローブ材料と厚いグローブ材料のグローブに、及び／又は相対的に小さい若しくは大きいグローブの丸められた端部９０２を備えるグローブに用いられるような大きさである。図１７の実施形態に対して、環状の中央部８０３の高さ１６０１は、５〜７ｍｍの範囲で約６ｍｍであり、相対的に薄いグローブ材料の従来のグローブに合わせるように適している。図１８の実施形態に対して、環状の中央部８０３の高さ１６０１は、８〜１０ｍｍの範囲で約９ｍｍであり、相対的に厚いグローブ材料の従来のグローブに合わせるように適している。３〜１５ｍｍの範囲にあるような、いずれかの高さが、異なる厚みである、及び／又は異なるサイズの丸められた端部９０３を備えるグローブに対して適切であってもよい。
【００４６】
環状の中央部８０３の壁の厚み１６０２は、中央付近で、より薄くてもよく、第１環状部８０１と第２環状部８０２に向けて厚くなってもよい。壁の厚み１６０２は、０．０５〜０．５０ｍｍの範囲、例えば０．１２〜０．３７ｍｍの範囲でもよい。（図１７，１８の実施形態と同様に、）第１環状部８０１と第２環状部８０２の壁の厚み１６０３は、０．７〜２．０ｍｍの範囲、例えば０．９〜１．２ｍｍの範囲でもよい。第１環状部８０１と第２環状部８０２は、同じ壁の厚みを有してもよく、第１環状部８０１よりも大きな壁の厚みを有する第２環状部８０２を好ましくは備える、異なる壁の厚みであってもよい。
【００４７】
図１２は固定具１２００の実施形態を示す。この固定具１２００は、円形のトラフ１０４をグローブ１００に形成するために、リング形状部材８００をグローブ１００に取り付けることに用いられ得る。固定具１２００は、テーブルなどに有利に取り付けられ得る基部１２０１を備える。また、固定具１２００は、基部１２０１から伸びる円筒部１２０２を備える。図１３に示すように、リング形状部材８００は、組み立てるとき、固定具１２００の円筒部１２０２に配置されている。弾性材料のグローブ１００の端部又はリムは、リング形状部材８００の第２環状部８０２を越えて伸ばされる。次に、リング形状部材８００は折り曲げられる。その後、カラーを備えて組み立てられたグローブ１００は固定具１２００から取り除かれる。実施形態において、固定具１２００の円筒部１２０２の柔軟性は、組み立てるとき、リング形状部材８００を固定具１２００に配置して、グローブ１００を取り外すことをより容易にする複数の突出部材１２０３に分かれる円筒部１２０２により増加する。
【００４８】
図１４は、複数のクリップ１４００を備えるリング形状部材８００の実施形態を示す。このクリップ１４００は第１環状部８０１に対応して取り付けられている。図１５に示すように、リング形状部材８００が、グローブ１００に取り付けられて、折り曲げられるとき、クリップ１４００は、曲げられて、グローブ１００のカラー１０２の上側端部周りに留められる。このように、クリップ１４００は、リング形状部材８００の折り曲げられた形状を保護するように作用する。このように、グローブ１００のカラー１０２は、たとえ摩耗したとき、又は意図せず変形したときでも、開くことを防がれ得る。図１５に示すように、クリップ１４００は、代替として、又は付加的に、独立した部材として形成されて、リング形状部材８００の折り曲げられた形状を確実にするようにグローブ１００のカラー１０２の端部周りに留められ得る。
【００４９】
付加的に、又は代替として、接着剤が、リング形状部材８００を折り曲げられた形状に固定するために用いられ得る。
【００５０】
本発明の好ましい実施形態が記載される一方、本発明が限定されない、また本発明から逸脱することなく、変更が行われ得ることが分かる。本発明の範囲は、添付された請求項により定められる。また、請求項の意義に近いすべての装置は、その請求項の意義に、事実上又は同等に含まれるように意図されている。
【図１】
2020513074.tif 000003
【図２】
2020513074.tif 000004
【図３】
2020513074.tif 000005
【図４】
2020513074.tif 000006
【図５ａ】
2020513074.tif 000007
【図５ｂ】
2020513074.tif 000008
【図６】
2020513074.tif 000009
【図７】
2020513074.tif 000010
【図８】
2020513074.tif 000011
【図９】
2020513074.tif 000012
【図１０】
2020513074.tif 000013
【図１１】
2020513074.tif 000014
【図１２】
2020513074.tif 000015
【図１３】
2020513074.tif 000016
【図１４】
2020513074.tif 000017
【図１５】
2020513074.tif 000018
【図１６】
2020513074.tif 000019
【図１７】
2020513074.tif 000020
【図１８】
2020513074.tif 000021
【国際調査報告】
2020513074.tif 000022
2020513074.tif 000023